(57)【要約】【課題】電波受信機能を有する電子機器の小型化を図ることができ、且つ好適な受信感度を有するアンテナ装置及びその電子機器と係着し受信感度を向上させる電子機器係着装置を実現する。【解決手段】コア部（１１０）にコイルが巻きつけられて形成された巻線部（１２０）を有する主アンテナ部（１００）を時計ケース（２）に配設した腕時計（１）と、この腕時計（１）と係着する載置台（３００）とによりアンテナ装置（１０００）を構成し、この腕時計（１）と載置台（３００）とが係着した際に、主アンテナ部（１００）のコア部（１１０）の長手方向両端部に副アンテナ部（２００）が延在するように構成した。【選択図】図１
2005227009.tif 000002
【特許請求の範囲】
【請求項１】
コア部と、このコア部にコイルが巻きつけられて形成された巻線部とから成る主アンテナ部を有する電子機器と、この電子機器が係着される電子機器係着部材とを備え、
前記電子機器係着部材には、当該電子機器係着部材に前記電子機器が係着された際に、前記主アンテナ部の長手方向両端部と対向する位置に副アンテナ部が配置されていることを特徴とするアンテナ装置。
【請求項２】
前記主アンテナ部の長手方向両端部は、前記電子機器の外面に露出するように配設されているとともに、
前記副アンテナ部は、前記主アンテナ部の長手方向両端部の端面と接触するように配設されていることを特徴とする請求項１に記載のアンテナ装置。
【請求項３】
前記電子機器は、前記主アンテナ部の長手方向両端部に接続されるとともに前記電子機器の外面に露出するように配設されている接続部材を備え、
前記副アンテナ部は、前記接続部材と接触するように配設されていることを特徴とする請求項１に記載のアンテナ装置。
【請求項４】
前記主アンテナ部は、当該主アンテナ部の長手方向の周面を、絶縁部材を介して金属箔で覆うとともに、前記金属箔は当該主アンテナ部以外の部位に対して接地されていることを特徴とする請求項１に記載のアンテナ装置。
【請求項５】
前記副アンテナ部は、前記電子機器係着部材に前記電子機器が係着された際に、前記主アンテナ部と反対側の端面部の面積が前記主アンテナ部の端面部の面積よりも広くなっていることを特徴とする請求項１に記載のアンテナ装置。
【請求項６】
コア部と、このコア部にコイルが巻きつけられて形成された巻線部とから成る主アンテナ部が時計ケースに配設されている時計と、
前記時計が係着可能であり、且つ、当該時計が係着された際に、前記主アンテナ部の長手方向両端部と対向する位置に副アンテナ部を有する時計係着部材と、を備え、
前記時計は、
前記時計係着部材と係着しているか否かを検出する検出部と、
前記検出部が検出した結果に基づき、前記時計が前記時計係着部材と係着している場合と係着していない場合のそれぞれに対して適した同調容量に切り替える切替制御手段と、
を備えることを特徴とするアンテナ装置。
【請求項７】
前記時計は、前記時計ケースを手首に装着するためのバンドを備え、
前記主アンテナ部は、前記時計ケースと前記バンドとの取付部の近傍に設けられていることを特徴とする請求項６に記載のアンテナ装置。
【請求項８】
前記時計係着部材は、前記時計に取り付けられる外装部材であることを特徴とする請求項６に記載のアンテナ装置。
【請求項９】
コア部と、このコア部にコイルが巻きつけられて形成された巻線部とから成る主アンテナ部を有する電子機器が係着される係着部を備えている電子機器係着装置において、
前記係着部には、当該係着部に前記電子機器が係着された際に、前記主アンテナ部の長手方向両端部と対向する位置に副アンテナ部が配置されていることを特徴とする電子機器係着装置。
【発明の詳細な説明】
【技術分野】
【０００１】
本発明は、アンテナ装置及び電子機器係着装置に関する。
【背景技術】
【０００２】
現在、各国（例えばドイツ、イギリス、スイス、日本等）において、時刻データ即ちタイムコード入りの長波標準電波が送出されている。我が国（日本）では、２つの送信所（福島県及び佐賀県）より、図１４に示すようなフォーマットのタイムコードで振幅変調した４０ｋＨｚ及び６０ｋＨｚの長波標準電波が送出されている。タイムコードは、正確な時刻の分の桁が更新される毎、即ち１分毎に、１周期６０秒のフレームで送出されている。
【０００３】
近年では、このようなタイムコード入り標準電波を受信して現在時刻データを修正する、いわゆる電波時計が実用化され、知られている（例えば、特許文献１参照。）。
電波時計は、所定時間毎に、内蔵しているアンテナを介して標準電波を受信し、増幅変調してタイムコードを解読することにより現在時刻を修正している。
【特許文献１】特開２００１−２６４４６３号公報
【発明の開示】
【発明が解決しようとする課題】
【０００４】
しかしながら、上記特許文献１の場合、時計にアンテナを内蔵するため、そのアンテナのスペースを確保する必要があり、小型の時計に適用する際には、時計の大きさやデザインが制約されてしまうという問題があった。
また、小型の時計に適用するためにアンテナを小さくすると、標準電波の受信感度が低下してしまい、標準電波に基づく時刻修正性能が悪化してしまうという問題があった。
【０００５】
本発明の課題は、電波受信機能を有する電子機器の小型化を図ることができ、且つ好適な受信感度を有するアンテナ装置及びその電子機器と係着し受信感度を向上させる電子機器係着装置を提供することである。
【課題を解決するための手段】
【０００６】
本発明は、上記の課題を解決するため、以下のような構成要素を備えている。なお、以下に示す構成要素には、括弧書きにより実施形態に対応する構成及び図面参照符号を記す。
請求項１記載の発明は、アンテナ装置（例えば、図１，３，４のアンテナ装置１０００）において、
コア部（例えば、図１〜４のコア部１１０）と、このコア部にコイルが巻きつけられて形成された巻線部（例えば、図１〜４の巻線部１２０）とから成る主アンテナ部（例えば、図１〜４の主アンテナ部１００）を有する電子機器（例えば、図１，３，４の腕時計１）と、この電子機器が係着される電子機器係着部材（例えば、図１，３，４の載置台３００）とを備え、
前記電子機器係着部材には、当該電子機器係着部材に前記電子機器が係着された際に、前記主アンテナ部の長手方向両端部（例えば、図２，４の両端部１１０ａ）と対向する位置に副アンテナ部（例えば、図１〜４の副アンテナ部２００）が配置されていることを特徴とする。
【０００７】
請求項１記載の発明によれば、アンテナ装置は、電子機器と、この電子機器が係着される電子機器係着部材とにより構成される。
電子機器は、コア部にコイルが巻きつけられて形成された巻線部を有する主アンテナ部を有し、電子機器係着部材は副アンテナ部を有している。
そして、電子機器と電子機器係着部材とが係着した際に、主アンテナ部の長手方向両端部と対向する位置に、副アンテナ部が配置されるようになっているので、電子機器と電子機器係着部材とが係着することにより、主アンテナ部（コア部）と副アンテナ部とが同一軸線上に配置されて、それらが磁気的に結合した状態となる。
このように、主アンテナ部（コア部）と副アンテナ部とが磁気的に結合することにより、主アンテナ部（コア部）が副アンテナ部に相当する分、長くなったことと同様の状態となるので、標準電波などの電波の受信感度が向上する。つまり、アンテナ装置は、主アンテナ部を有する電子機器でも電波の受信が可能であるが、主アンテナ部（コア部）と副アンテナ部とを磁気的に結合させることにより、電波の受信感度を向上させることができる。
【０００８】
よって、単独でも電波を受信することができる主アンテナ部を備える電子機器は電波受信機能を有するとともに、副アンテナ部を備える電子機器係着部材と係着することによって、主アンテナ部（コア部）と副アンテナ部とを磁気的に結合させたアンテナ装置として、電波の受信感度を向上させることができる。
従って、このようなアンテナ装置であれば、より小型の電子機器には、主アンテナ部のみを備えることにより、その電子機器に電波受信機能を付与することができるので、電波受信機能を有する電子機器の小型化を図ることができる。そして、副アンテナ部を電子機器係着部材に備えることにより、電子機器と電子機器係着部材とを係着させることで、アンテナ装置として電波の受信感度を向上させることができる。
【０００９】
請求項２記載の発明は、請求項１に記載のアンテナ装置（例えば、図１１のアンテナ装置１００２）において、
前記主アンテナ部の長手方向両端部は、前記電子機器（例えば、図１１の腕時計１ｂ）の外面に露出するように配設されているとともに、
前記副アンテナ部は、前記主アンテナ部の長手方向両端部の端面と接触するように配設されていることを特徴とする。
【００１０】
請求項２記載の発明によれば、請求項１に記載の発明と同様の作用を奏するとともに、主アンテナ部の長手方向両端部が電子機器の外面に露出するように配設されるとともに、副アンテナ部が主アンテナ部の長手方向両端部の端面と接触するように配設されるので、主アンテナ部と副アンテナ部とが低い磁気抵抗で磁気的に結合することができ、より強い結合で結びつくこととなり、電波の受信感度が向上する。
【００１１】
請求項３記載の発明は、請求項１に記載のアンテナ装置（例えば、図９，１０のアンテナ装置１００１）において、
前記電子機器（例えば、図９，１０の腕時計１ａ）は、前記主アンテナ部の長手方向両端部に接続されるとともに前記電子機器の外面に露出するように配設されている接続部材（例えば、図９，１０の接続部材１１１）を備え、
前記副アンテナ部は、前記接続部材と接触するように配設されていることを特徴とする。
【００１２】
請求項３記載の発明によれば、請求項１に記載の発明と同様の作用を奏するとともに、主アンテナ部の長手方向両端部にそれぞれ接続されるとともに、電子機器の外面に露出するように配設される接続部材を備え、副アンテナ部がその接続部材と接触するように配設されるので、主アンテナ部と副アンテナ部とが接続部材を介して低い磁気抵抗で磁気的に結合することができ、より強い結合で結びつくこととなり、電波の受信感度が向上する。
【００１３】
請求項４記載の発明は、請求項１に記載のアンテナ装置において、
前記主アンテナ部（例えば、図８の主アンテナ部１０１）は、当該主アンテナ部の長手方向の周面を、絶縁部材（例えば、図８の絶縁シート１５０）を介して金属箔（例えば、図８の金属箔１６０）で覆うとともに、前記金属箔は当該主アンテナ部以外の部位（例えば、図８のＧＮＤライン１７０）に対して接地されていることを特徴とする。
【００１４】
請求項４記載の発明によれば、請求項１に記載の発明と同様の作用を奏するとともに、主アンテナ部の長手方向の周面を、絶縁部材を介して金属箔で覆うとともに、金属箔は主アンテナ部以外の部位に対して接地されているので、主アンテナ部に静電気などのノイズが入り込んでも、その静電気などのノイズは金属箔を介し、接地された主アンテナ部以外の部位に抜けていくので、主アンテナ部や、その主アンテナ部と接続されている回路基板のＩＣなどがそのノイズにより破壊されることを防ぐことができる。
【００１５】
請求項５記載の発明は、請求項１に記載のアンテナ装置において、
前記副アンテナ部（例えば、図２の副アンテナ部２００）は、前記電子機器係着部材に前記電子機器が係着された際に、前記主アンテナ部と反対側の端面部（例えば、図２の大径部２００ｂ）の面積が前記主アンテナ部の端面部（例えば、図２の両端部１１０ａ）の面積よりも広くなっていることを特徴とする。
【００１６】
請求項５記載の発明によれば、請求項１に記載の発明と同様の作用を奏するとともに、副アンテナ部における主アンテナ部と反対側の端面部の面積は、主アンテナ部の端面部の面積よりも広くなっているので、標準電波などの電波による信号磁界中にアンテナ装置が置かれた場合、その信号磁界の信号磁束が副アンテナ部を介して主アンテナ部に集中しやすくなり、電波の受信感度を向上させることができる。
【００１７】
請求項６記載の発明は、アンテナ装置（例えば、図３，４，６のアンテナ装置１０００）において、
コア部（例えば、図３，４，６のコア部１１０）と、このコア部にコイルが巻きつけられて形成された巻線部（例えば、図３，４，６の巻線部１２０）とから成る主アンテナ部（例えば、図３，４，６の主アンテナ部１００）が時計ケース（例えば、図３，４の時計ケース２）に配設されている時計（例えば、図３，４，５の腕時計１）と、
前記時計が係着可能であり、且つ、当該時計が係着された際に、前記主アンテナ部の長手方向両端部（例えば、図３，４の両端部１１０ａ）と対向する位置に副アンテナ部（例えば、図３，４の副アンテナ部２００）を有する時計係着部材（例えば、図３，４の載置台３００）と、を備え、
前記時計は、
前記時計係着部材と係着しているか否かを検出する検出部（例えば、図５，６の検出部９０）と、
前記検出部が検出した結果に基づき、前記時計が前記時計係着部材と係着している場合と係着していない場合のそれぞれに対して適した同調容量に切り替える切替制御手段（例えば、図５，６のＣＰＵ１０）と、
を備えることを特徴とする。
【００１８】
請求項６記載の発明によれば、アンテナ装置は、時計と、この時計が係着される時計係着部材とにより構成される。
そして、コア部にコイルが巻きつけられて形成された巻線部を有する主アンテナ部は時計の時計ケースに配設されており、また、副アンテナ部は時計係着部材に備えられている。
この時計と時計係着部材とが係着した際に、主アンテナ部の長手方向両端部と対向する位置に、副アンテナ部が配置されるようになっているので、時計と時計係着部材とが係着することにより、主アンテナ部（コア部）と副アンテナ部とが同一軸線上に配置されて、それらが磁気的に結合した状態となる。
このように、主アンテナ部（コア部）と副アンテナ部とが磁気的に結合することにより、主アンテナ部（コア部）が副アンテナ部に相当する分、長くなったことと同様の状態となるので、標準電波などの電波の受信感度が向上する。つまり、アンテナ装置は、主アンテナ部を有する時計でも電波の受信が可能であるが、主アンテナ部（コア部）と副アンテナ部とを磁気的に結合させることにより、電波の受信感度を向上させることができる。
【００１９】
よって、単独でも電波を受信することができる主アンテナ部を備える時計は電波受信機能を有するとともに、副アンテナ部を備える時計係着部材と係着することによって、主アンテナ部（コア部）と副アンテナ部とを磁気的に結合させたアンテナ装置として、電波の受信感度を向上させることができる。
従って、このようなアンテナ装置であれば、より小型の時計には、主アンテナ部のみを備えることにより、その時計に電波受信機能を付与することができるので、電波受信機能を有する時計の小型化を図ることができる。そして、副アンテナ部を時計係着部材に備えることにより、時計と時計係着部材とを係着させることで、アンテナ装置として電波の受信感度を向上させることができる。
【００２０】
また、時計は、時計係着部材と係着しているか否かを検出する検出部と、検出部が検出した結果に基づき、時計が時計係着部材と係着している場合と、係着していない場合のそれぞれに対して適した同調容量に切り替える切替制御手段を備えているので、時計が時計係着部材と係着しておらず、時計の主アンテナ部が単独で動作し電波を受信する場合と、時計が時計係着部材と係着しており、主アンテナ部と副アンテナ部とが組み合わされて、時計と時計係着部材が係着したアンテナ装置として動作し電波を受信する場合とに応じて、それぞれに適した同調容量に自動的に切り替えることができ、それぞれの場合において、電波の受信を好適に行うことができる。
【００２１】
請求項７記載の発明は、請求項６に記載のアンテナ装置（例えば、図１１のアンテナ装置１００２）において、
前記時計（例えば、図１１の腕時計１ｂ）は、前記時計ケースを手首に装着するためのバンド（例えば、図１１のバンド部材８）を備え、
前記主アンテナ部は、前記時計ケースと前記バンドとの取付部の近傍に設けられていることを特徴とする。
【００２２】
請求項７記載の発明によれば、請求項６に記載の発明と同様の作用を奏するとともに、時計ケースは、時計を手首に装着するためのバンドを備え、主アンテナ部は、時計ケースとバンドとの取付部の近傍に設けられている。
主アンテナ部を、時計ケースとバンドとの取付部の近傍に設ける場合は、主アンテナ部を時計ケース内の中央側に設ける場合に比べ、自由度が大きい。これは、時計ケース内の中央側には様々な部材（例えば、時計計時部）が実装されるので、そこに主アンテナ部を備える場合には、主アンテナ部の大きさや配設位置に制約を受けてしまうからである。
よって、主アンテナ部を、時計ケースとバンドとの取付部の近傍に設けることは、時計に主アンテナ部を備える際に、制約が少なく、自由度が大きいので、好適に主アンテナ部を配置することができる。
【００２３】
請求項８記載の発明は、請求項６に記載のアンテナ装置（例えば、図１２，１３のアンテナ装置１００３）において、
前記時計係着部材は、前記時計に取り付けられる外装部材（例えば、図１２，１３のベゼル２ｆ）であることを特徴とする。
【００２４】
請求項８記載の発明によれば、請求項６に記載の発明と同様の作用を奏するとともに、時計係着部材は、時計に取り付けられる外装部材であるので、常に、時計に外装部材としての時計係着部材を係着させることができる。
そして、時計係着部材には、副アンテナ部が備えられているので、常に、主アンテナ部と副アンテナ部とが磁気的に結合するようにアンテナ装置が構成されることにより、電波の受信感度が向上するので、その時計をより正確な電波時計とすることができる。
【００２５】
請求項９記載の発明は、
コア部（例えば、図１〜４のコア部１１０）と、このコア部にコイルが巻きつけられて形成された巻線部（例えば、図１〜４の巻線部１２０）とから成る主アンテナ部（例えば、図１〜４の主アンテナ部１００）を有する電子機器（例えば、図１，３，４の腕時計１）が係着される係着部（例えば、図１，３，４の載置溝３００ａ）を備えている電子機器係着装置（例えば、図１，３，４の載置台３００）において、
前記係着部には、当該係着部に前記電子機器が係着された際に、前記主アンテナ部の長手方向両端部（例えば、図２，４の両端部１１０ａ）と対向する位置に副アンテナ部（例えば、図１〜４の副アンテナ部２００）が配置されていることを特徴とする。
【００２６】
請求項９記載の発明によれば、コア部にコイルが巻きつけられて形成された巻線部を有する主アンテナ部を備える電子機器は、電子機器係着装置の係着部に係着される。
そして、電子機器係着装置は副アンテナ部を備え、電子機器係着装置の係着部に電子機器が係着された際に、主アンテナ部の長手方向両端部と対向する位置に副アンテナ部が配置されるようになっている。つまり、電子機器と電子機器係着装置とが係着することにより、主アンテナ部（コア部）と副アンテナ部とが同一軸線上に配置されて、それらが磁気的に結合した状態となる。
このように、主アンテナ部（コア部）と副アンテナ部とが磁気的に結合することにより、主アンテナ部（コア部）が副アンテナ部に相当する分、長くなったことと同様の状態となるので、標準電波などの電波の受信感度が向上する。つまり、主アンテナ部を有する電子機器でも電波の受信が可能であるが、電子機器の主アンテナ部と電子機器係着装置の副アンテナ部とを磁気的に結合させることにより、電波の受信感度を向上させることができる。
【００２７】
よって、単独でも電波を受信することができる主アンテナ部を備える電子機器に、副アンテナ部を備える電子機器係着装置を係着することによって、主アンテナ部（コア部）と副アンテナ部とを磁気的に結合させたアンテナ装置として、電波の受信感度を向上させることができる。
従って、このような電子機器係着装置であれば、主アンテナ部を備える小型の電子機器が単独で電波を受信する場合に比べ、電子機器に電子機器係着装置を係着させることにより、アンテナ装置として電波の受信感度を向上させることができる。
【発明の効果】
【００２８】
請求項１記載の発明によれば、アンテナ装置は、電子機器と、この電子機器が係着される電子機器係着部材とにより構成される。電子機器は、コア部にコイルが巻きつけられて形成された巻線部を有する主アンテナ部を有し、電子機器係着部材は副アンテナ部を有している。そして、電子機器と電子機器係着部材とが係着した際に、主アンテナ部の長手方向両端部と対向する位置に、副アンテナ部が配置されるようになっているので、電子機器と電子機器係着部材とが係着することにより、主アンテナ部（コア部）と副アンテナ部とが同一軸線上に配置されて、それらが磁気的に結合した状態となる。このように、主アンテナ部（コア部）と副アンテナ部とが磁気的に結合することにより、主アンテナ部（コア部）が副アンテナ部に相当する分、長くなったことと同様の状態となるので、標準電波などの電波の受信感度が向上する。つまり、アンテナ装置は、主アンテナ部を有する電子機器でも電波の受信が可能であるが、主アンテナ部（コア部）と副アンテナ部とを磁気的に結合させることにより、電波の受信感度を向上させることができる。
よって、単独でも電波を受信することができる主アンテナ部を備える電子機器は電波受信機能を有するとともに、副アンテナ部を備える電子機器係着部材と係着することによって、主アンテナ部（コア部）と副アンテナ部とを磁気的に結合させたアンテナ装置として、電波の受信感度を向上させることができる。従って、このようなアンテナ装置であれば、より小型の電子機器には、主アンテナ部のみを備えることにより、その電子機器に電波受信機能を付与することができるので、電波受信機能を有する電子機器の小型化を図ることができる。そして、副アンテナ部を電子機器係着部材に備えることにより、電子機器と電子機器係着部材とを係着させることで、アンテナ装置として電波の受信感度を向上させることができる。
【００２９】
請求項２記載の発明によれば、主アンテナ部の長手方向両端部が電子機器の外面に露出するように配設されるとともに、副アンテナ部が主アンテナ部の長手方向両端部の端面と接触するように配設されるので、主アンテナ部と副アンテナ部とが低い磁気抵抗で磁気的に結合することができ、より強い結合で結びつくこととなり、電波の受信感度が向上する。
【００３０】
請求項３記載の発明によれば、主アンテナ部の長手方向両端部にそれぞれ接続されるとともに、電子機器の外面に露出するように配設される接続部材を備え、副アンテナ部がその接続部材と接触するように配設されるので、主アンテナ部と副アンテナ部とが接続部材を介して低い磁気抵抗で磁気的に結合することができ、より強い結合で結びつくこととなり、電波の受信感度が向上する。
【００３１】
請求項４記載の発明によれば、主アンテナ部の長手方向の周面を、絶縁部材を介して金属箔で覆うとともに、金属箔は主アンテナ部以外の部位に対して接地されているので、主アンテナ部に静電気などのノイズが入り込んでも、その静電気などのノイズは金属箔を介し、接地された主アンテナ部以外の部位に抜けていくので、主アンテナ部や、その主アンテナ部と接続されている回路基板のＩＣなどがそのノイズにより破壊されることを防ぐことができる。
【００３２】
請求項５記載の発明によれば、副アンテナ部における主アンテナ部と反対側の端面部の面積は、主アンテナ部の端面部の面積よりも広くなっているので、標準電波などの電波による信号磁界中にアンテナ装置が置かれた場合、その信号磁界の信号磁束が副アンテナ部を介して主アンテナ部に集中しやすくなり、電波の受信感度を向上させることができる。
【００３３】
請求項６記載の発明によれば、アンテナ装置は、時計と、この時計が係着される時計係着部材とにより構成される。そして、コア部にコイルが巻きつけられて形成された巻線部を有する主アンテナ部は時計の時計ケースに配設されており、また、副アンテナ部は時計係着部材に備えられている。この時計と時計係着部材とが係着した際に、主アンテナ部の長手方向両端部と対向する位置に、副アンテナ部が配置されるようになっているので、時計と時計係着部材とが係着することにより、主アンテナ部（コア部）と副アンテナ部とが同一軸線上に配置されて、それらが磁気的に結合した状態となる。このように、主アンテナ部（コア部）と副アンテナ部とが磁気的に結合することにより、主アンテナ部（コア部）が副アンテナ部に相当する分、長くなったことと同様の状態となるので、標準電波などの電波の受信感度が向上する。つまり、アンテナ装置は、主アンテナ部を有する時計でも電波の受信が可能であるが、主アンテナ部（コア部）と副アンテナ部とを磁気的に結合させることにより、電波の受信感度を向上させることができる。
よって、単独でも電波を受信することができる主アンテナ部を備える時計は電波受信機能を有するとともに、副アンテナ部を備える時計係着部材と係着することによって、主アンテナ部（コア部）と副アンテナ部とを磁気的に結合させたアンテナ装置として、電波の受信感度を向上させることができる。従って、このようなアンテナ装置であれば、より小型の時計には、主アンテナ部のみを備えることにより、その時計に電波受信機能を付与することができるので、電波受信機能を有する時計の小型化を図ることができる。そして、副アンテナ部を時計係着部材に備えることにより、時計と時計係着部材とを係着させることで、アンテナ装置として電波の受信感度を向上させることができる。
また、時計は、時計係着部材と係着しているか否かを検出する検出部と、検出部が検出した結果に基づき、時計が時計係着部材と係着している場合と、係着していない場合のそれぞれに対して適した同調容量に切り替える切替制御手段を備えているので、時計が時計係着部材と係着しておらず、時計の主アンテナ部が単独で動作し電波を受信する場合と、時計が時計係着部材と係着しており、主アンテナ部と副アンテナ部とが組み合わされて、時計と時計係着部材が係着したアンテナ装置として動作し電波を受信する場合とに応じて、それぞれに適した同調容量に自動的に切り替えることができ、それぞれの場合において、電波の受信を好適に行うことができる。
【００３４】
請求項７記載の発明によれば、時計ケースには、時計を手首に装着するためのバンドが備えられており、主アンテナ部は、時計ケースとバンドとの取付部の近傍に設けられている。主アンテナ部を、時計ケースとバンドとの取付部の近傍に設ける場合は、主アンテナ部を時計ケース内の中央側に設ける場合に比べ、自由度が大きい。これは、時計ケース内の中央側には様々な部材（例えば、時計計時部）が実装されるので、そこに主アンテナ部を備える場合には、主アンテナ部の大きさや配設位置に制約を受けてしまうからである。
よって、主アンテナ部を、時計ケースとバンドとの取付部の近傍に設けることは、時計に主アンテナ部を備える際に、制約が少なく、自由度が大きいので、好適に主アンテナ部を配置することができる。
【００３５】
請求項８記載の発明によれば、時計係着部材は、時計に取り付けられる外装部材であるので、常に、時計に外装部材としての時計係着部材を係着させることができる。そして、時計係着部材には、副アンテナ部が備えられているので、常に、主アンテナ部と副アンテナ部とが磁気的に結合するようにアンテナ装置が構成されることにより、電波の受信感度が向上するので、その時計をより正確な電波時計とすることができる。
【００３６】
請求項９記載の発明によれば、コア部にコイルが巻きつけられて形成された巻線部を有する主アンテナ部を備える電子機器は、電子機器係着装置の係着部に係着される。そして、電子機器係着装置は副アンテナ部を備え、電子機器係着装置の係着部に電子機器が係着された際に、主アンテナ部の長手方向両端部と対向する位置に副アンテナ部が配置されるようになっている。つまり、電子機器と電子機器係着装置とが係着することにより、主アンテナ部（コア部）と副アンテナ部とが同一軸線上に配置されて、それらが磁気的に結合した状態となる。このように、主アンテナ部（コア部）と副アンテナ部とが磁気的に結合することにより、主アンテナ部（コア部）が副アンテナ部に相当する分、長くなったことと同様の状態となるので、標準電波などの電波の受信感度が向上する。つまり、主アンテナ部を有する電子機器でも電波の受信が可能であるが、電子機器の主アンテナ部と電子機器係着装置の副アンテナ部とを磁気的に結合させることにより、電波の受信感度を向上させることができる。
よって、単独でも電波を受信することができる主アンテナ部を備える電子機器に、副アンテナ部を備える電子機器係着装置を係着することによって、主アンテナ部（コア部）と副アンテナ部とを磁気的に結合させたアンテナ装置として、電波の受信感度を向上させることができる。従って、このような電子機器係着装置であれば、主アンテナ部を備える小型の電子機器が単独で電波を受信する場合に比べ、電子機器に電子機器係着装置を係着させることにより、アンテナ装置として電波の受信感度を向上させることができる。
【発明を実施するための最良の形態】
【００３７】
以下、図面を参照して、本発明に係るアンテナ装置及び電子機器係着装置の最良の実施形態について詳細に説明する。
なお、本実施形態においては、時計として腕時計を例に挙げて説明する。また、説明の簡明のため、各図面においては、コイルの径を太くし、巻回数を少なく図示している。
【００３８】
図１は、電子機器である腕時計１が電子機器係着装置（電子機器係着部材、時計係着部材）である載置台３００に載置されて係着している状態であり、本発明に係るアンテナ装置１０００を示す斜視図である。
図１に示すように、本発明に係るアンテナ装置１０００は、標準電波を受信するためのものであり、電波を受信する主アンテナ部１００を備える腕時計１と、受信感度を向上させるための副アンテナ部２００、２００を備える載置台３００とにより構成されるのものである。
また、本発明に係る時計としての腕時計１は、主アンテナ部１００を内蔵し、標準電波を受信して現在時刻データを修正する電波時計である。特に、本発明においては、その腕時計１と組み合わせて使用される電子機器係着装置としての載置台３００に副アンテナ部２００、２００が備えられており、腕時計１と載置台３００とを係着した際に、主アンテナ部１００と副アンテナ部２００、２００とが位置合わせされることによりアンテナ装置１０００が構成されて、標準電波の受信感度が向上するものである。
【００３９】
〔アンテナ本体の構成〕
図２は、本実施の形態のアンテナ本体４００を示す図である。同図（ａ）はアンテナ本体４００の正面図を示し、同図（ｂ）は（ａ）のｂ−ｂ線における断面図を示している。なお、同図において、コイルと受信回路とを接続する導線の図示は省略している。
【００４０】
図２（ａ）に示すように、アンテナ本体４００は、主アンテナ部１００と、副アンテナ部２００とを備えている。
主アンテナ部１００は、コア部１１０と、このコア部１１０の中央部分にコイルを巻きつけて形成した巻線部１２０と、により構成されている。
【００４１】
コア部１１０は、略円柱形状の棒状体であり、その中央部分は両端側より径が細く形成された凹部１１０ｂを有し、その凹部にコイルとしての銅線等がコア部１１０の両端側の表面とほぼ同じ高さになるように、ほぼ均等な厚みで巻き付けられて、巻線部１２０が形成されている。
コア部１１０は、電波の受信感度が高い材料、例えばフェライト等、比透磁率が高く且つ電気抵抗が大きい磁性材料により形成される。具体的には、コア部１１０は、約1000〜100000程度の比透磁率を有する磁性材料を用いて形成される。このため、コア部１１０内部の磁気抵抗は、主アンテナ部１００の周辺空間のそれの約1/1000〜1/100000程度と、極めて小さくなっている。
【００４２】
副アンテナ部２００は、主アンテナ部１００のコア部１１０の長手方向の両端部１１０ａ側に対向する位置に、そのコア部１１０の長手方向に延在するように配設されるようになっている。この副アンテナ部２００は、円錐台形状を有しており、副アンテナ部２００の小さい端面部である小径部２００ａがコア部１１０の両端部１１０ａに対向するように配設され、副アンテナ部２００の大きい端部である大径部２００ｂがコア部１１０の反対側に向くように配設されるようになっている。そして、副アンテナ部２００における、コア部１１０と反対側の端面部である大径部２００ｂの面積が、コア部１１０の端面部である両端部１１０ａの面積よりも広くなっている。
また、標準電波による信号磁束をスムーズに流すように、コア部１１０の両端部１１０ａの径と、副アンテナ部２００の小径部２００ａの径を同じサイズにすることが好ましい。
副アンテナ部２００は、電波の受信感度が高い材料、例えばフェライト等の磁性材料により形成されており、特に、コア部１１０と同じ磁性材料であることが好ましい。
【００４３】
そして、図２（ａ）に示すように、主アンテナ部１００（コア部１１０）と副アンテナ部２００とが、同一軸線上に配置されることにより、主アンテナ部１００（コア部１１０）と副アンテナ部２００とは、磁気的に結合した状態となる。
このアンテナ本体４００を標準電波による信号磁界中に置くと、信号磁束がコア部１１０に集中して巻線部１２０と鎖交し、巻線部１２０には、巻線部１２０内部を通過する信号磁束の変化を妨げる向きに発生磁束が発生する。アンテナ本体４００は、この発生磁束に基づき巻線部１２０に生じる誘導起電力を検出することにより、標準電波を受信するようになっている。
【００４４】
この誘導起電力の検出は、主アンテナ部１００のみでも可能であるが、副アンテナ部２００が主アンテナ部１００のコア部１１０と同一軸線上に位置合わせされて、主アンテナ部１００（コア部１１０）と副アンテナ部２００とが、磁気的に結合した状態となれば、コア部１１０が長く、その両端側が大きく広げられた形状であることと同様になり、標準電波の受信感度を向上させることができる。
【００４５】
このように、本発明に係るアンテナ本体４００は、単独でも標準電波の受信、誘導起電力の検出を行うことができる主アンテナ部１００と、主アンテナ部１００（コア部１１０）に磁気的に結合することにより標準電波の受信感度を向上させる副アンテナ部２００を備えているので、腕時計などの小型の電子機器には主アンテナ部１００のみを備えることにより、標準電波の受信を可能にするとともに、副アンテナ部２００を小型電子機器における主アンテナ部１００に対して所定の位置に配設することにより、受信感度を向上させることができる。
【００４６】
〔腕時計及び載置台の構成〕
図３は、載置台３００に腕時計１が係着されてなるアンテナ装置１０００の拡大正面図であり、図４は、図３のIV−IV線における要部の拡大断面図である。
【００４７】
図１、図３、図４に示すように、腕時計１に主アンテナ部１００が内蔵されており、載置台３００に副アンテナ部２００が内蔵されている。
載置台３００は、腕時計１を使用しない際に載置し保管するための台であり、載置台３００には、腕時計１の外形に沿った係着部としての載置溝３００ａが形成されている。
そして、腕時計１を、その載置溝３００ａに合わせて載置することにより、腕時計１と載置台３００とが係着するとともに、主アンテナ部１００（コア部１１０）と副アンテナ部２００とが同一軸線上に位置合わせされて、主アンテナ部１００（コア部１１０）と副アンテナ部２００とが、磁気的に結合し、アンテナ装置１０００が構成される。
【００４８】
腕時計１は、図１、図３、図４に示すように、時計計時部４を内部に収納する樹脂成形された時計ケース２を備え、時計ケース２には、これをユーザの手首に装着するためのバンド部材８が取り付けられている。
【００４９】
時計ケース２の上面中央には、文字板５を視認可能なように時計ガラス２ａがパッキン２ｂを介して嵌められ、時計ケース２の周囲には、腕時計１の各種機能の実行を指示するためのスイッチ３が設けられている。また、時計ケース２の上部外周には外装部材としてのベゼル２ｆが設けられ、時計ケース２の底面には、金属成形された裏蓋２ｃが防水リング２ｄを介して取り付けられている。
【００５０】
時計計時部４は、上部ハウジング部４ａや下部ハウジング部４ｂ、時針や分針等の指針７ｂを文字板５上で運針させるアナログ指針機構７、標準電波を受信する主アンテナ部１００、アナログ指針機構７や主アンテナ部１００を接続してこれらを制御する回路基板６を備えている。また、時計計時部４と裏蓋２ｃの間には、緩衝部材２ｅが備えられている。
上部ハウジング部４ａ、下部ハウジング部４ｂ、文字板５は、それぞれの周縁部が時計ケース２の内側周面に設けられている中枠２ｇに取り付けられた構造となっている。そして、下部ハウジング部４ｂと上部ハウジング部４ａとの間に回路基板６が配置されている。また、上部ハウジング部４ａの上面に文字板５が配置され、この文字板５の上面周縁部には、枠状部材５ｂが、時計ガラス２ａの下面周縁部に当接した状態で配置されている。
【００５１】
アナログ指針機構７は、文字板５に形成された軸孔５ａからその上方に延びる指針軸７ａと、指針軸７ａに取り付けられた時針、分針等の指針７ｂとを有し、指針７ｂを文字板５の上方で運針させる。アナログ指針機構７（腕時計１）を動作させるための電池（図示省略）は、例えば下部ハウジング部４ｂに組み込まれている。
【００５２】
主アンテナ部１００は、図４に示されるように、回路基板６と文字板５との間のアンテナ収容部１００ａにおいて、主アンテナ部１００（コア部１１０）の長手方向の軸線が裏蓋２ｃ（或いは文字板５）と平行になるよう、上部ハウジング部４ａに支持されて配置されている。また、主アンテナ部１００のコア部１１０の両端部１１０ａは、中枠２ｇを貫通するとともに、時計ケース２に貫入している。
また、主アンテナ部１００の巻線部１２０を形成するコイルの端部１２０ａは、回路基板６に接続されている。そして、主アンテナ部１００の巻線部１２０に生じる誘導起電力を検出する受信回路（例えば、後述するＣＰＵ１０、受信制御部６０等）は、回路基板６上に実装されている。
【００５３】
図５は、腕時計１の内部構成を示すブロック図である。同図によれば、腕時計１は、ＣＰＵ１０と、入力部２０と、表示部３０と、ＲＯＭ４０と、ＲＡＭ５０と、受信制御部６０と、タイムコード変換部７０と、計時回路部８０と、発振回路部８２と、検出部９０と、を備えて構成されている。また、発振回路部８２を除く各部はバスＢによって接続され、発振回路部８２は計時回路部８０に接続されている。
【００５４】
ＣＰＵ１０は、所定のタイミング或いは入力部２０から入力された操作信号に応じてＲＯＭ４０に格納されたプログラムを読み出してＲＡＭ５０に展開し、該プログラムに基づいて腕時計１を構成する各部への指示やデータの転送等を行う。具体的には、例えば所定時間毎に受信制御部６０を制御して標準電波の受信処理を実行し、タイムコード変換部７０から入力された標準タイムコード（例えば、図１４に示すような標準タイムコード）に基づいて計時回路部８０で計数される現在時刻データを修正する。
【００５５】
また、ＣＰＵ１０は、検出部９０から入力された検出信号に基づいて、後述する切替スイッチ９２を切り替えることにより、腕時計１が載置台３００と係着しておらず、腕時計１（主アンテナ部１００）のみで標準電波を受信する場合と、腕時計１が載置台３００と係着しており、主アンテナ部１００と副アンテナ部２００とが磁気的に結合した状態であるアンテナ装置１０００として標準電波を受信する場合とにおける最適な同調容量に自動的に切り替える、切替制御手段として機能する。
また、ＣＰＵ１０は、標準電波の受信処理を実行した際、標準電波の受信を所定通りにできたか否かを判断する制御を行う。また、その標準電波に基づく時刻情報を所定回数受信したか否かを判断する制御を行う。
【００５６】
入力部２０は、腕時計１の各種機能の実行を指示するためのスイッチ３等であり、これらのスイッチ３が操作されると、対応する操作信号をＣＰＵ１０に出力する。
表示部３０は、文字板５やＣＰＵ１０によって制御されるアナログ指針機構７を含み、計時回路部８０によって計時された現在時刻を表示する。
また、表示部３０は、液晶表示機構や、ＬＥＤ点灯機構を備えてもよく、それらに標準電波の受信状態（例えば、受信良好表示や受信不能表示）を表示するようになっている。
【００５７】
ＲＯＭ４０は、腕時計１にかかるシステムプログラムやアプリケーションプログラム、本実施の形態を実現するためのプログラムやデータ等を記憶する。
例えば、ＲＯＭ４０には、所定時間毎に標準電波の受信処理を実行するための受信プログラム４０ａが記憶されている。
また、ＲＯＭ４０には、標準電波の受信に伴い、現在時刻データを修正するための時刻修正プログラム４０ｂが記憶されている。
また、ＲＯＭ４０には、検出部９０から入力される検出信号に基づいて、腕時計１が載置台３００と係着しておらず、腕時計１（主アンテナ部１００）のみで標準電波を受信する場合と、腕時計１が載置台３００と係着しており、主アンテナ部１００と副アンテナ部２００とが磁気的に結合した状態であるアンテナ装置１０００として標準電波を受信する場合とにおける最適な同調容量に自動的に切り替えるための同調容量切替プログラム４０ｃが記憶されている。
【００５８】
ＲＡＭ５０は、ＣＰＵ１０の作業領域として用いられ、ＲＯＭ４０から読み出されたプログラムやＣＰＵ１０で処理されたデータ等を一時的に記憶する。
例えば、ＲＡＭ５０には、ＣＰＵ１０の作業領域として用いたり、プログラムやデータ等を一時的に記憶するためのデータ格納領域５０ａが形成されている。
【００５９】
受信制御部６０は、電波受信装置６２を備える。電波受信装置６２はアンテナ本体４００の主アンテナ部１００を有しており、主アンテナ部１００（アンテナ本体４００）で受信した標準電波の不要な周波数成分をカットして該当する周波数信号を取り出し、この周波数信号を対応した電気信号に変換した信号をタイムコード変換部７０へ出力する。
【００６０】
タイムコード変換部７０は、電波受信装置６２から入力された電気信号をデジタル信号に変換し、標準時刻コードや積算コード、曜日コード等の時計機能に必要なデータを含む標準タイムコードを生成してＣＰＵ１０に出力する。
【００６１】
計時回路部８０は、発振回路部８２から入力される信号を計数して現在時刻を計時し、計時した現在時刻データをＣＰＵ１０に出力する。発振回路部８２は、常時一定周波数のクロック信号を出力する回路である。
【００６２】
検出部９０は、腕時計１が載置台３００に載置され、腕時計１と載置台３００とが係着しているか否かを検出し、検出した検出信号をＣＰＵ１０に出力する。
検出部９０は、例えば、接触センサであり、腕時計１を、載置台３００の載置溝３００ａに合わせて載置した際に、載置台３００に設けられている突起部（図示省略）が腕時計１のセンサ穴（図示省略）に係合し、そのセンサ穴内の接触センサ（図示省略）を押下することにより、腕時計１と載置台３００とが係着しているという検出信号を出力する。なお、この接触センサが押下されず、検出信号が出力されていない状態は、腕時計１が載置台３００に載置されていない状態として処理する。
【００６３】
図６は、アンテナ装置１０００の腕時計１における検出部９０に関する説明図である。同図によれば、主アンテナ部１００の巻線部１２０を形成するコイルの端部１２０ａが受信制御部６０に接続される間に、第１のコンデンサ９４と第２のコンデンサ９６とが並列に接続されて配設されている。また、第２のコンデンサ９６と直列に切替スイッチ９２が配設されている。
そして、ＣＰＵ１０が、検出部９０から入力された検出信号に基づいて、切替スイッチ９２を切り替えることにより、アンテナ装置１０００（アンテナ本体４００）の同調容量を調整し、腕時計１（主アンテナ部１００）のみで標準電波を受信する場合と、主アンテナ部１００と副アンテナ部２００とが磁気的に結合した状態であるアンテナ装置１０００（アンテナ本体４００）として標準電波を受信する場合とにおける最適な同調容量に自動的に切り替えるようになっている。
【００６４】
これは、腕時計１（主アンテナ部１００）のみで受信動作する場合と、主アンテナ部１００と副アンテナ部２００とが磁気的に結合した状態であるアンテナ装置１０００（アンテナ本体４００）として受信動作する場合とでは、そのアンテナ装置１０００（アンテナ本体４００）におけるインダクタンス等が異なることにより、同一の同調容量では、それぞれの場合において、標準電波に対して同調を取ることができず、標準電波を受信しにくくなることがあるので、それぞれの場合に適した同調容量に切り替えて、標準電波の受信を好適に行うようになっている。
【００６５】
〔腕時計の動作〕
次に、図７に示すフローチャートに基づいて、腕時計１の動作について説明する。
まず、腕時計１のＣＰＵ１０が、検出部９０から検出信号の入力があるか否かを判断する（ステップＳ１０１）。ＣＰＵ１０が、検出部９０から検出信号の入力があると判断した場合、即ち、腕時計１が載置台３００に載置されて、腕時計１と載置台３００とが係着して腕時計１（主アンテナ部１００）に副アンテナ部２００が付加されていると判断されると（ステップＳ１０１；Ｙｅｓ）、ステップＳ１０２に進み、ＣＰＵ１０は切替スイッチ９２を、副アンテナ部付加用に切り替えて、副アンテナ部２００が主アンテナ部１００と磁気的に結合するように載置台３００と腕時計１とが係着した場合に適したアンテナ装置用の同調容量に切り替える（ステップＳ１０２）。そして、ステップＳ１０４へ進む。
【００６６】
一方、ＣＰＵ１０が、検出部９０から検出信号の入力はないと判断した場合、即ち、腕時計１は載置台３００に載置されておらず、腕時計１（主アンテナ部１００）に副アンテナ部２００が付加されていないと判断されると（ステップＳ１０１；Ｎｏ）、ステップＳ１０３に進み、ＣＰＵ１０は切替スイッチ９２を、主アンテナ部単独用に切り替えて、主アンテナ部のみの場合に適した腕時計単独用の同調容量に切り替える（ステップＳ１０３）。そして、ステップＳ１０４へ進む。
【００６７】
ステップＳ１０４において、腕時計１のＣＰＵ１０は、アンテナ装置１０００（アンテナ本体４００）の形態に応じて最適な同調容量に切り替えられた状態で、標準電波の受信処理を実行し、時刻情報を受信する（ステップＳ１０４）。
次いで、ＣＰＵ１０は、標準電波を受信できたか否かを判断する（ステップＳ１０５）。
【００６８】
ＣＰＵ１０が、標準電波の受信をできていないと判断すると（ステップＳ１０５；Ｎｏ）、ＣＰＵ１０は、標準電波が受信不能である旨を示す受信不能表示を表示部３０に行い（ステップＳ１０６）、標準電波の受信処理を終了する。
一方、ＣＰＵ１０が、標準電波を受信できたと判断すると（ステップＳ１０５；Ｙｅｓ）、ステップＳ１０７へ進む。
【００６９】
ステップＳ１０７において、腕時計１のＣＰＵ１０は、標準電波に基づく時刻情報を所定回数（例えば、３回）受信したか否かを判断する（ステップＳ１０７）。
ＣＰＵ１０が、標準電波（時刻情報）を所定回数受信できていないと判断すると（ステップＳ１０７；Ｎｏ）、ステップＳ１０４へ戻る。
一方、ＣＰＵ１０が、標準電波（時刻情報）を所定回数受信したと判断すると（ステップＳ１０７；Ｙｅｓ）、標準電波の標準タイムコードに応じた時刻データに基づき、ＣＰＵ１０は、現在時刻の修正処理を実行し（ステップＳ１０８）、標準電波の受信処理を終了する。
【００７０】
このように、本発明に係る腕時計１は、アンテナ本体４００の主アンテナ部１００を備えることにより、標準電波を受信可能であるので、標準電波の時刻情報（時刻データ）に基づき、現在時刻の修正を行うことができる電波時計として機能する。
また、腕時計１を載置する載置台３００の所定の位置に副アンテナ部２００が備えられており、その載置台３００に腕時計１を載置し、それらを係着させることによって、主アンテナ部１００（コア部１１０）と副アンテナ部２００とが磁気的に結合し、アンテナ装置１０００が構成されることにより、標準電波の受信感度が向上するので、腕時計１をより正確な電波時計とすることができる。
【００７１】
つまり、小型の腕時計、特に女性用腕時計など、標準電波を受信するアンテナ部材を内蔵するためのスペースの確保が難しいものに対しては、アンテナ本体４００の主アンテナ部１００のように、より小さなアンテナ部材を内蔵させることにより、その腕時計に時刻修正機能（電波時計機能）を付与することができるとともに、その腕時計の大きさやデザイン性の制約を最小限に留めることができるようになる。
そして、標準電波の受信感度を向上させる際には、副アンテナ部２００が内蔵された載置台３００にその腕時計を載置すればよい。
【００７２】
特に、腕時計１は、主アンテナ部１００が単独で動作し標準電波を受信する場合と、主アンテナ部１００と副アンテナ部２００とが組み合わされたひとつのアンテナ本体４００としなった状態のアンテナ装置１０００として動作し標準電波を受信する場合とに応じて、それぞれに適した同調容量に自動的に切り替えることができるので、それぞれの場合において、標準電波の受信を好適に行うことができる。
【００７３】
よって、腕時計１を使用しない場合には、その腕時計１を載置台３００に載置することにより、標準電波の受信感度を向上させることができるので、従来の電波時計において、標準電波の受信をより好適に行うために、室内における、より標準電波を受信しやすい窓際にその電波時計を静置するようなことはしないでも済む。
つまり、夜間など、腕時計１を手首から外して使用していない時間帯に、その外した腕時計１を載置台３００に載置しておけば、標準電波の受信を好適に行い、現在時刻の修正がより確実に行われるようになる。
【００７４】
〔変形例〕
なお、本発明の適用は上述した実施形態に限定されることなく、本発明の趣旨を逸脱しない範囲で適宜変更可能である。
【００７５】
〔アンテナ本体の変形例〕
例えば、アンテナ本体を次のように構成してもよい。
図８は、本実施の形態のアンテナ本体における主アンテナ部１０１を示す図である。同図（ａ）は主アンテナ部１０１の正面図を示し、同図（ｂ）は（ａ）のｂ−ｂ線における断面図を示している。なお、同図において、コイルと受信回路とを接続する導線の図示は省略している。
【００７６】
図８（ａ）に示すように、主アンテナ部１０１は、前述の主アンテナ部１００におけるコア部１１０の長手方向の両端部１１０ａ以外の周囲（つまり、主アンテナ部１００（コア部１１０）の長手方向の周面）を絶縁部材である絶縁シート１５０を介して金属箔１６０で覆うとともに、その金属箔１６０を主アンテナ部１０１以外の部位に対して接地したＧＮＤライン１７０に接続したものである。
【００７７】
このような主アンテナ部１０１であれば、主アンテナ部１０１に静電気などのノイズが入り込んでも、その静電気などのノイズはＧＮＤライン１７０に抜けていくので、回路基板６のＩＣなどがそのノイズにより破壊されることを防ぐことができる。
【００７８】
〔腕時計、アンテナ装置の変形例１〕
例えば、腕時計を次のように構成してもよい。
図９は、載置台３００に腕時計１ａが係着されてなるアンテナ装置１００１の拡大正面図であり、図１０は、図９のX−X線における要部の拡大断面図である。
【００７９】
図９、図１０に示すように、腕時計１ａに主アンテナ部１００が内蔵されており、載置台３００に副アンテナ部２００が内蔵されている。
主アンテナ部１００は、図１０に示されるように、回路基板６と文字板５との間のアンテナ収容部１００ａにおいて、主アンテナ部１００（コア部１１０）の長手方向の軸線が裏蓋２ｃ（或いは文字板５）と平行になるよう、上部ハウジング部４ａに支持されて配置されている。また、主アンテナ部１００のコア部１１０の両端部１１０ａは、中枠２ｇに相当する位置に対向するように配置されている。
そして、中枠２ｇと時計ケース２を貫通するように、接続部材１１１が備えられており、その接続部材１１１の外端部１１１ｂは、時計ケース２から腕時計１ａの外面に露出するように配設され、接続部材１１１の内端部１１１ａは、主アンテナ部１００のコア部１１０の両端部１１０ａと接触するように配設されている。
接続部材１１１は、高透磁率で低導電率を有し、腕時計の最外装に使用可能な程度の強度を有する材料である、例えば、フェライトの金属粉末射出成形（ＭＩＭ）品により形成されている。
【００８０】
そして、腕時計１ａを、載置台３００の載置溝３００ａに合わせて載置することにより、腕時計１ａと載置台３００とが係着するとともに、主アンテナ部１００（コア部１１０）と、接続部材１１１と、副アンテナ部２００とが同一軸線上に位置合わせされて、主アンテナ部１００（コア部１１０）と副アンテナ部２００とが接続部材１１１を介して磁気的に結合した状態となり、アンテナ装置１００１が構成される。なお、腕時計１ａと載置台３００とが係着した状態において、副アンテナ部２００の小径部２００ａと、接続部材１１１の外端部１１１ｂとは接触するようになっている。
【００８１】
このような腕時計１ａであっても、標準電波の受信が可能であり、標準電波の時刻情報（時刻データ）に基づき、現在時刻の修正を行うことができる電波時計として機能する。
また、腕時計１ａを載置する載置台３００の所定の位置に副アンテナ部２００が備えられており、その載置台３００に腕時計１ａを載置し、それらを係着させることによって、主アンテナ部１００（コア部１１０）と副アンテナ部２００とが接続部材１１１を介して磁気的に結合してアンテナ装置１００１が構成されることにより、標準電波の受信感度が向上するので、腕時計１ａをより正確な電波時計とすることができる。
特に、主アンテナ部１００（コア部１１０）と副アンテナ部２００とは、接続部材１１１を介して接続されているので、より主アンテナ部１００（コア部１１０）と副アンテナ部２００とが低い磁気抵抗で結合することにより、その結合が強くなり、標準電波の受信感度がより向上する。
【００８２】
〔腕時計、アンテナ装置の変形例２〕
また、腕時計や載置台を次のように構成してもよい。
図１１は、載置台３００に腕時計１ｂが係着されてなるアンテナ装置１００２の拡大正面図である。
図１１に示すように、腕時計１ｂに主アンテナ部１００が内蔵されており、載置台３００に副アンテナ部２００が内蔵されている。
【００８３】
主アンテナ部１００は、図１１に示されるように、時計ケース２における１２時方向のバンド部材８の取付部の近傍に形成されたアンテナ収容部１００ｂに内蔵されている。
主アンテナ部１００は、主アンテナ部１００（コア部１１０）の長手方向の軸線が裏蓋２ｃ（或いは文字板５）と平行になるよう、時計ケース２に支持されて配置されている。また、主アンテナ部１００のコア部１１０の両端部１１０ａは、時計ケース２から腕時計１ｂの外面に露出するように配設されている。
【００８４】
そして、腕時計１ｂを、載置台３００の載置溝３００ａに合わせて載置することにより、腕時計１ｂと載置台３００とが係着するとともに、主アンテナ部１００（コア部１１０）と副アンテナ部２００とが同一軸線上に位置合わせされて、主アンテナ部１００（コア部１１０）と副アンテナ部２００とが、磁気的に結合した状態となり、アンテナ装置１００２が構成される。なお、腕時計１ｂと載置台３００とが係着した状態において、副アンテナ部２００の小径部２００ａと、主アンテナ部１００のコア部１１０の両端部１１０ａとは接触するようになっている。
【００８５】
このような腕時計１ｂであっても、標準電波の受信が可能であり、標準電波の時刻情報（時刻データ）に基づき、現在時刻の修正を行うことができる電波時計として機能する。
また、腕時計１ｂを載置する載置台３００の所定の位置に副アンテナ部２００が備えられており、その載置台３００に腕時計１ｂを載置し、それらを係着させることによって、主アンテナ部１００（コア部１１０）と副アンテナ部２００とが磁気的に結合してアンテナ装置１００２が構成されることにより、標準電波の受信感度が向上するので、腕時計１ｂをより正確な電波時計とすることができる。
特に、主アンテナ部１００（コア部１１０）と副アンテナ部２００とは、接触しているので、より主アンテナ部１００（コア部１１０）と副アンテナ部２００とが低い磁気抵抗で結合することにより、その結合が強くなり、標準電波の受信感度がより向上する。
【００８６】
また、主アンテナ部１００を、時計ケース２とバンド部材８との取付部の近傍に設ける場合は、主アンテナ部１００を時計ケース２内の中央側に設ける場合に比べ、自由度が大きい。これは、時計ケース２内の中央側には様々な部材（例えば、時計計時部４）が実装されるので、そこに主アンテナ部１００を備える場合には、主アンテナ部１００の大きさや配設位置に制約を受けてしまうからである。
よって、主アンテナ部１００を、時計ケース２とバンド部材８との取付部の近傍に設けることは、時計ケース２に主アンテナ部１００を備える際に、制約が少なく、自由度が大きいので、好適に主アンテナ部１００を配置することができる。
【００８７】
〔腕時計、アンテナ装置の変形例３〕
また、腕時計を次のように構成してもよい。
図１２は、腕時計１ｃであり、アンテナ装置１００３の拡大正面図であり、図１３は、図１２のXIII−XIII線における要部の拡大断面図である。
【００８８】
図１２、図１３に示すように、腕時計１ｃに主アンテナ部１００が内蔵されている。
主アンテナ部１００は、図１３に示されるように、回路基板６と文字板５との間のアンテナ収容部１００ａにおいて、主アンテナ部１００（コア部１１０）の長手方向の軸線が裏蓋２ｃ（或いは文字板５）と平行になるよう、上部ハウジング部４ａに支持されて配置されている。また、主アンテナ部１００のコア部１１０の両端部１１０ａは、中枠２ｇを貫通するとともに、時計ケース２も貫通し、そのコア部１１０の両端部１１０ａは、時計ケース２の外面に露出するように配設されている。
そして、時計ケース２の上部外周に取り付けられた外装部材としてのベゼル２ｆに、その主アンテナ部１００のコア部１１０の両端部１１０ａが接触するように、主アンテナ部１００が配設されている。
【００８９】
ここで、ベゼル２ｆは、高透磁率で低導電率を有し、腕時計の最外装に使用可能な程度の強度を有する材料である、例えば、フェライトの金属粉末射出成形（ＭＩＭ）品により形成されている。
つまり、このベゼル２ｆは、アンテナ本体の副アンテナ部（２００）として機能するようになっている。
また、ベゼル２ｆは、時計ケース２に着脱自在、交換可能に設けられており、つまり、ベゼル２ｆは、時計係着部材であるともいえる。
ベゼル２ｆは、ファッション性、嗜好性による交換を行うばかりでなく、副アンテナ部としての標準電波受信性能を調整するために交換してもよい。
なお、この腕時計１ｃにおいては、ベゼル２ｆが腕時計１ｃ（時計ケース２）に係着されているか否かを検出部９０が検出し、好適な同調容量に切り替えるようになっている。
【００９０】
このように、腕時計１ｃにおいては、ベゼル２ｆをアンテナ本体の副アンテナ部（２００）として用いることにより、腕時計１ｃに副アンテナ部としてのベゼル２ｆが係着していることとなる。そして、主アンテナ部１００（コア部１１０）と、副アンテナ部としてのベゼル２ｆが常に同一軸線上に位置合わせされており、主アンテナ部１００（コア部１１０）とベゼル２ｆ（副アンテナ部）とが、磁気的に結合した状態となっている。
【００９１】
このような腕時計１ｃであっても、標準電波の受信が可能であり、標準電波の時刻情報（時刻データ）に基づき、現在時刻の修正を行うことができる電波時計として機能する。
特に、腕時計１ｃに係着されたベゼル２ｆが副アンテナ部として機能するので、腕時計１ｃにおいて、常に、主アンテナ部１００（コア部１１０）と副アンテナ部としてのベゼル２ｆが磁気的に結合してアンテナ装置１００３が構成されることにより、標準電波の受信感度が向上するので、腕時計１ｃをより正確な電波時計とすることができる。
特に、主アンテナ部１００（コア部１１０）と副アンテナ部としてのベゼル２ｆは、接触しているので、より主アンテナ部１００（コア部１１０）と副アンテナ部とが低い磁気抵抗で結合することにより、その結合が強くなり、標準電波の受信感度がより向上する。
【００９２】
なお、以上の実施の形態においては、副アンテナ部２００は円錐台形状として説明したが、本発明はこれに限定されるものではない。
副アンテナ部によりアンテナ装置の標準電波の受信感度を向上させるためには、副アンテナ部２００と主アンテナ部１００が磁気的に結合するように、副アンテナ部２００を主アンテナ部１００のコア部１１０の長手方向に延在するように配設して、そのコア部を実質的に長くすることと、その副アンテナ部の外側端部が大きく広がった形状にすることがあげられる。そのため、角錐台形状や、平面視扇形を呈する形状の副アンテナ部であってもよい。
【００９３】
また、電子機器は、腕時計に限らず、携帯電話機などその他の電子機器であってもよい。
また、その他、具体的な細部構造等についても適宜に変更可能であることは勿論である。
【図面の簡単な説明】
【００９４】
【図１】本発明に係る腕時計と載置台が係着したアンテナ装置を示す斜視図である。
【図２】本発明に係るアンテナ本体を示す図であり、（ａ）は正面図、（ｂ）はｂ−ｂ線における断面図である。
【図３】載置台に腕時計が係着されてなるアンテナ装置の拡大正面図である。
【図４】図３のIV−IV線における拡大断面図である。
【図５】腕時計の要部構成を示すブロック図である。
【図６】アンテナ装置の腕時計における同調容量の切り替えを説明するための説明図である。
【図７】アンテナ装置の腕時計における時刻修正動作を示すフローチャートである。
【図８】本発明におけるアンテナ本体の変形例を示す図であり、（ａ）は正面図、（ｂ）のｂ−ｂ線における断面図である。
【図９】本発明におけるアンテナ装置の変形例（１）を示す正面図である。
【図１０】図９のX−X線における断面図である。
【図１１】本発明におけるアンテナ装置の変形例（２）を示す正面図である。
【図１２】本発明におけるアンテナ装置の変形例（３）を示す正面図である。
【図１３】図１２のXIII−XIII線における断面図である。
【図１４】タイムコードのフォーマットを示す図である。
【符号の説明】
【００９５】
１０００、１００１、１００２、１００３  アンテナ装置
１００、１０１  主アンテナ部
１１０    コア部
１１０ａ  両端部（端面部）
１１１    接続部材
１２０    巻線部
１２０ａ  端部
１５０    絶縁シート（絶縁部材）
１６０    金属箔
１７０    ＧＮＤライン
２００    副アンテナ部
２００ａ  小径部
２００ｂ  大径部（端面部）
３００    載置台（電子機器係着部材、時計係着部材、電子機器係着装置）
３００ａ  載置溝（係着部）
４００    アンテナ本体
１、１ａ、１ｂ、１ｃ  腕時計（電子機器、時計）
２      時計ケース
２ｆ    ベゼル（副アンテナ部、電子機器係着部材、時計係着部材、外装部材）
８      バンド部材（バンド）
１０    ＣＰＵ（切替制御手段）
２０    入力部
３０    表示部
４０    ＲＯＭ
５０    ＲＡＭ
６０    受信制御部
６２    電波受信装置
７０    タイムコード変換部
８０    計時回路部
８２    発振回路部
９０    検出部
９２    切替スイッチ
９４    第１のコンデンサ
９６    第２のコンデンサ
【図１】
2005227009.tif 000003
【図２】
2005227009.tif 000004
【図３】
2005227009.tif 000005
【図４】
2005227009.tif 000006
【図５】
2005227009.tif 000007
【図６】
2005227009.tif 000008
【図７】
2005227009.tif 000009
【図８】
2005227009.tif 000010
【図９】
2005227009.tif 000011
【図１０】
2005227009.tif 000012
【図１１】
2005227009.tif 000013
【図１２】
2005227009.tif 000014
【図１３】
2005227009.tif 000015
【図１４】
2005227009.tif 000016